(57)【要約】【課題】カメラで規模の異なる複数の場所を監視する画像監視システムにおいて、タッチパネル式の操作端末を用いて、より感覚的に操作し易い画像監視インターフェースを提供する。【解決手段】本発明によれば、画像監視システムの操作端末にタッチパネル式の操作端末を用いて、タッチを伴うジェスチャ操作によってモード切替えや画像選択などの操作を実行することで、より感覚的に操作し易い画像監視インターフェースを実現できる。【選択図】図１
2013207517.tif 000002
【特許請求の範囲】
【請求項１】
表示面に操作画面を表示する表示手段と、前記表示手段の上に配置されタッチを伴う操作を検出するタッチパネルと、検出した操作を判定して制御する制御手段と、を備える操作端末であって、
複数の画像を表示するサムネイル画像表示領域と、前記サムネイル画像表示領域に表示された画像の中から選択された画像を拡大して表示する画像拡大表示領域と、を前記表示面に表示し、
前記サムネイル画像表示領域に表示された画像を前記画像拡大表示領域までドラッグ操作されることで、該画像を前記画像拡大表示領域に拡大して表示することを特徴とする操作端末。
【請求項２】
表示面に操作画面を表示する表示手段と、前記表示手段の上に配置されタッチを伴う操作を検出するタッチパネルと、検出した操作を判定して制御する制御手段と、を備える操作端末において、
複数の画像を表示するサムネイル画像表示領域と、前記サムネイル画像表示領域に表示された画像の中から選択された画像を拡大して表示する画像拡大表示領域と、を前記表示面に表示し、
前記サムネイル画像表示領域に表示された画像を前記画像拡大表示領域までドラッグ操作されることで、該画像を前記画像拡大表示領域に拡大して表示することを特徴とする操作方法。
【請求項３】
表示面に操作画面を表示する表示手段と、前記表示手段の上に配置されタッチを伴う操作を検出するタッチパネルと、を備えるコンピュータに、
複数の画像を表示するサムネイル画像表示領域と、前記サムネイル画像表示領域に表示された画像の中から選択された画像を拡大して表示する画像拡大表示領域と、を前記表示面に表示する表示処理と、
前記サムネイル画像表示領域に表示された画像を前記画像拡大表示領域までドラッグ操作されることで、該画像を前記画像拡大表示領域に拡大して表示する選択処理と、
を実行させることを特徴とするプログラム。
【請求項４】
前記サムネイル画像表示領域に表示される複数の画像は、それぞれ異なるカメラの画像であって、
画像が、前記サムネイル画像より大きく表示されている場合には、該画像に対してタッチを伴う操作がされることで該画像を撮像しているカメラに対してパン、チルト、またはズームを制御する信号を送信することを特徴とする請求項１に記載の操作端末。
【請求項５】
前記サムネイル画像表示領域に表示される複数の画像は、それぞれ異なるカメラの画像であって、
画像が、前記サムネイル画像より大きく表示されている場合には、該画像に対してタッチを伴う操作がされることで該画像を撮像しているカメラに対してパン、チルト、またはズームを制御する信号を送信することを特徴とする請求項２に記載の操作方法。
【請求項６】
前記表示処理で前記サムネイル画像表示領域に表示させる複数の画像は、それぞれ異なるカメラの画像であって、
画像が前記サムネイル画像より大きく表示されている場合には、該画像に対してタッチを伴う操作がされることで該画像を撮像しているカメラに対してパン、チルト、またはズームを制御する信号を送信する処理を実行させることを特徴とする請求項３に記載のプログラム。
【発明の詳細な説明】
【技術分野】
【０００１】
本発明は、監視カメラを用いた画像監視システムにおける、操作端末での監視操作に関する。
【背景技術】
【０００２】
画像監視システムは、ホテルやビル、コンビニエンスストア、金融機関、ダム、道路等といった様々な公共施設や民間施設等において、犯罪や事故の防止、事件や事故の事後解析等の目的で導入されている。一般的な画像監視システムでは、カメラで監視対象エリアを撮像し、撮像した画像をネットワークを介して管理事務所や警備室等の監視センタや記録装置に伝送し、伝送された画像により監視者が監視対象を監視して目的や必要に応じて注意や警告をしたり、伝送された画像を記録装置に記録したりしている。
【０００３】
この様な従来の監視システムの場合、監視者がモニタとマウス等のポインティングデバイスを備えるパソコンなどのコンピュータを用いて、ＧＵＩ（Graphical User Interface）画面からカメラのパン・チルト・ズームを操作したり、監視画像を閲覧したりすることで、監視対象領域を監視している。
【０００４】
なお、従来技術として、監視端末にＷｅｂブラウザ形式で表示したＧＵＩ画面からカメラを制御したり、撮像した画像を表示したりする画像監視システムが開示されている（特許文献１を参照）。
【０００５】
一方、近年、スマートフォンやタブレットと呼ばれるタッチパネルを用いた可搬型の通信端末が普及しており、これらを用いて画像監視することが望まれている。
【先行技術文献】
【特許文献】
【０００６】
【特許文献１】特開２０１１−０５５４２３号公報
【発明の概要】
【発明が解決しようとする課題】
【０００７】
本発明は、この様な要望を鑑みて為されたものであり、タッチパネル式の操作端末を用いて、より感覚的に操作し易い画像監視インターフェースを提供することを目的とする。
【課題を解決するための手段】
【０００８】
本発明の操作端末は、表示面に操作画面を表示する表示手段と、前記表示手段の上に配置されタッチを伴う操作を検出するタッチパネルと、検出した操作を判定して制御する制御手段と、を備える操作端末であって、複数の画像を表示するサムネイル画像表示領域と、前記サムネイル画像表示領域に表示された画像の中から選択された画像を拡大して表示する画像拡大表示領域と、を前記表示面に表示し、前記サムネイル画像表示領域に表示された画像を前記画像拡大表示領域までドラッグ操作されることで、該画像を前記画像拡大表示領域に拡大して表示することを特徴とする。
【０００９】
また、本発明の操作方法は、表示面に操作画面を表示する表示手段と、前記表示手段の上に配置されタッチを伴う操作を検出するタッチパネルと、検出した操作を判定して制御する制御手段と、を備える操作端末において、複数の画像を表示するサムネイル画像表示領域と、前記サムネイル画像表示領域に表示された画像の中から選択された画像を拡大して表示する画像拡大表示領域と、を前記表示面に表示し、前記サムネイル画像表示領域に表示された画像を前記画像拡大表示領域までドラッグ操作されることで、該画像を前記画像拡大表示領域に拡大して表示することを特徴とする。
【００１０】
また、本発明のプログラムは、表示面に操作画面を表示する表示手段と、前記表示手段の上に配置されタッチを伴う操作を検出するタッチパネルと、を備えるコンピュータに、複数の画像を表示するサムネイル画像表示領域と、前記サムネイル画像表示領域に表示された画像の中から選択された画像を拡大して表示する画像拡大表示領域と、を前記表示面に表示する表示処理と、前記サムネイル画像表示領域に表示された画像を前記画像拡大表示領域までドラッグ操作されることで、該画像を前記画像拡大表示領域に拡大して表示する選択処理と、を実行させることを特徴とする。
【００１１】
また、本発明の操作端末は、さらに、前記サムネイル画像表示領域に表示される複数の画像は、それぞれ異なるカメラの画像であって、画像が、前記サムネイル画像より大きく表示されている場合には、該画像に対してタッチを伴う操作がされることで該画像を撮像しているカメラに対してパン、チルト、またはズームを制御する信号を送信することを特徴とする。
【００１２】
また、本発明の操作方法は、さらに、前記サムネイル画像表示領域に表示される複数の画像は、それぞれ異なるカメラの画像であって、画像が、前記サムネイル画像より大きく表示されている場合には、該画像に対してタッチを伴う操作がされることで該画像を撮像しているカメラに対してパン、チルト、またはズームを制御する信号を送信することを特徴とする。
【００１３】
また、本発明のプログラムは、さらに、前記サムネイル画像表示領域に表示させる複数の画像は、それぞれ異なるカメラの画像であって、画像が前記サムネイル画像より大きく表示されている場合には、該画像に対してタッチを伴う操作がされることで該画像を撮像しているカメラに対してパン、チルト、またはズームを制御する信号を送信する処理を実行させることを特徴とする。
【発明の効果】
【００１４】
本発明によれば、タッチパネル式の操作端末を用いて、タッチを伴うジェスチャ操作によってモード切替えや画像選択などの操作を実行することで、より感覚的に操作し易い画像監視インターフェースを実現できる。
【図面の簡単な説明】
【００１５】
【図１】本発明の画像監視システムの全体構成と操作端末の内部構成を示すブロック図である。
【図２】本発明の画像監視システムの操作画面で、初期状態の画面を示す図である。
【図３Ａ】本発明の画像監視システムの操作画面で、広域監視モードの選択画面を示す図である。
【図３Ｂ】本発明の画像監視システムの操作画面で、広域監視モードの選択画面を示す図である。
【図３Ｃ】本発明の画像監視システムの操作画面で、広域監視モードの操作画面を示す図である。
【図３Ｄ】本発明の画像監視システムの操作画面で、広域監視モードの操作画面を示す図である。
【図４Ａ】本発明の画像監視システムの操作画面で、建物内監視モードの選択画面を示す図である。
【図４Ｂ】本発明の画像監視システムの操作画面で、建物内監視モードの選択画面を示す図である。
【図４Ｃ】本発明の画像監視システムの操作画面で、建物内監視モードの操作画面を示す図である。
【図４Ｄ】本発明の画像監視システムの操作画面で、建物内監視モードの操作画面を示す図である。
【図５Ａ】本発明の画像監視システムの操作画面で、カメラ指定モードの選択画面を示す図である。
【図５Ｂ】本発明の画像監視システムの操作画面で、カメラ指定モードの選択画面を示す図である。
【図５Ｃ】本発明の画像監視システムの操作画面で、カメラ指定モードの操作画面を示す図である。
【図５Ｄ】本発明の画像監視システムの操作画面で、カメラ指定モードの操作画面を示す図である。
【発明を実施するための形態】
【００１６】
以下、図面を参照して本発明の実施形態について詳細に説明する。
図１は、本発明の画像監視システムの全体構成と操作端末の内部構成を示すブロック図である。
【００１７】
図１に示す画像監視システムは、監視領域を撮像するパン・チルト・ズーム機能搭載のカメラ１−１〜１−ｎ（特に区別しない場合はカメラ１と呼ぶ）、ＨＤＤ（Hard Disk Drive）やＳＳＤ（Solid State Drive）などの大容量の記録媒体を備える記録装置２、タッチパネル式の操作端末３から構成され、それぞれインターネット等のネットワークによって接続される。
なお、カメラ１はパン・チルト・ズーム機能搭載としたが固定型のカメラでもよく、複数でなくてもよい。また、記録装置２も説明を簡単にするために１つとしたが、複数あってもよい。
【００１８】
カメラ１は監視領域を撮像して画像を取得し、ネットワークを介して記録装置２へ出力し、記録装置２は入力された画像を記録媒体に記録する。操作端末３は操作者の操作や設定に従ってカメラ１や記録装置２へ制御信号を出力する。操作端末３から指定されたカメラ１へリアルタイムの画像を要求すると、カメラ１は操作端末３へ取得した画像を出力し、操作端末３は受信した画像を表示する。また、操作端末３から指定されたカメラ１へパン・チルト・ズームを制御するよう要求すると、カメラ１は要求の内容に従ってパン・チルト・ズームを制御する。また、操作端末３から日時やカメラ名等で指定した記録画像を記録装置２へ要求すると、記録装置２は指定された記録画像を操作端末３へ出力し、操作端末３は受信した記録画像を表示する。
【００１９】
また、図１に示す画像監視システムの操作端末３は、データを通信可能な形式に変換して送受信する通信部３０１、操作端末３の各部を制御するとともにジェスチャ情報の判定処理等を実行する制御部３０２、ＲＯＭ（Read Only Memory）やＲＡＭ（Random Access Memory）等でジェスチャ情報３０３Ａやプログラム３０３Ｂを記憶する記憶部３０３、操作者のジェスチャを認識するタッチセンサ３０４Ａと文字や画像等を表示する表示部３０４Ｂを備えるタッチパネル３０４、戻るボタンや電源ボタン等の入力部３０５から構成される。
【００２０】
タッチセンサ３０４Ａは表示部３０４Ｂの上に全面に渡って設けられ、タッチセンサ３０４Ａは、表面弾性波方式や静電容量方式などを用いて操作者のタッチを伴うジェスチャを認識し、表示部３０４Ｂは、制御部３０２によって描画される文字や画像等を表示する。
【００２１】
ジェスチャ情報３０３Ａはタッチセンサ３０４Ａによって認識された操作者のジェスチャの特徴に対応して記憶された操作コマンドに関する情報であり、プログラム３０３Ｂは例えばＯＳ（Operating System）、ジェスチャ情報３０４Ａを用いた判定処理プログラム、各種アプリケーションプログラム等である。
【００２２】
なお、ここでジェスチャとは、操作者のタッチパネル３０４へのタッチを伴う操作を意味し、タップ（タッチしてすぐに離す）、ドラッグ（タッチしたままスライドさせる）、ピンチイン（２点タッチし２点間を狭める様にスライドさせる）、ピンチアウト（２点タッチし２点間を離す様にスライドさせる）、スワイプ（掃く様にタッチしてスライドして離す）、ホールド（長押し）等といったものがある。
【００２３】
ジェスチャ操作による端末の具体的な動作は次の通り。
操作者がタッチパネル３０４に対してジェスチャ操作すると、タッチセンサ３０４Ａによって操作者のジェスチャが認識され、制御部３０２はジェスチャ情報３０４を参照して操作コマンドを生成し、操作コマンドに基づいてプログラム３０３Ｂを実行する。そして、プログラム実行結果を描画し表示部３０４Ｂに表示する。
【００２４】
また、入力部３０５が操作されることによる動作も、記憶部３０３に記憶された情報を参照して操作コマンドを生成し、プログラム３０３Ｂを実行することで実現される。
【００２５】
上述した操作や自動実行プログラムにより通信が必要となった場合、通信部３０１は、制御部３０２からの制御信号等のデータを、３Ｇ回線やＷｉ−Ｆｉ等の方式を用いたネットワークで通信可能な形式に変換して、カメラ１や記録装置２へ向けてネットワークに出力する。
【００２６】
これにより、タッチパネル式の操作端末３を用いて画像監視することができる。
【００２７】
なお、ここで、カメラ１がメモリーカード等の大容量の記録媒体を備え、撮像した画像を自らに記録する場合には、記録装置２は必要なく、カメラ１は記録装置２の機能も含めて操作端末３と通信する。この場合、上述した記録装置２と操作端末３との通信内容は全てカメラ１と操作端末３との通信に置き換えることができ、カメラ１は操作端末３からの要求がカメラ制御機能に関するものか記録機能に関するものかを判別して動作する。従って、この画像監視システムはカメラ１と操作端末３のみ成立し、物理的なシステム構成を簡素化することができる。
【００２８】
次に、図２〜図５を用いて、操作端末３に表示される画像監視インターフェースの操作について説明する。
【００２９】
図２は、本発明の画像監視システムの操作画面で、初期状態の画面を示す図である。
図３Ａ，Ｂは、本発明の画像監視システムの操作画面で、広域監視モードの選択途中の画面を示す図、図３Ｃは、広域監視モードの画像表示主体画面、図３Ｄは、広域監視モードのマップ主体画面を示す図である。
図４Ａ，Ｂは、本発明の画像監視システムの操作画面で、建物内監視モードの選択途中の画面を示す図、図４Ｃは、建物内監視モードの画像表示主体画面、図４Ｄは、建物内監視モードのマップ主体画面を示す図である。
図５Ａ，Ｂは、本発明の画像監視システムの操作画面で、カメラ指定モードの選択途中の画面を示す図、図５Ｃは、カメラ指定モードの画像表示主体画面、図５Ｄは、カメラ指定モードのマップ主体画面を示す図である。
【００３０】
図２において、１０１の表示領域にはカメラ１で取得した画像が表示されており、予めカメラを指定している場合にはそのカメラの画像が表示され、特に指定がなければ一定の間隔でカメラを切り替えて画像が表示される。この状態で画面を１度タップすると、広域監視モードアイコン１０２、建物内監視アイコン１０３、およびカメラ指定アイコン１０４から構成されるモード選択アイコン群が画面右上に表示される。
【００３１】
まず、広域監視モードを選択する場合について説明する。
図２において、広域監視モードアイコン１０２にタッチし画面下方向にドラッグすると、図３Ａの様に、１０５に画像表示主体画面が半透明で表示される。この画像表示主体画面が半透明で表示されている位置でタッチを離すと、図３Ｃの様に、画像表示主体画面が選択されて表示される。また、広域監視モードアイコン１０２をさらに画面下方向にドラッグして所定の位置を越えると、図３Ｂの様に、１０６にマップ主体画面が半透明で表示される。このマップ主体画面が半透明で表示されている位置でタッチを離すと、図３Ｄの様にマップ主体画面が選択されて表示される。なお、各画面が半透明で表示されるのは、ユーザーに対して画面選択をガイドするためである。
【００３２】
画像表示主体画面が選択されると、図３Ｃの様に、画面上部１０７には例えば建物の外観等を監視カメラの画像がカメラ名順等でサムネイル状に横並びで表示され、画面下部１１０にはサムネイルから選択されたカメラの画像１１１が大きく表示される。このとき、１１１に表示する画像は、画面上部１０７のサムネイルの所望の画像１０８をタップするかホールド＆ドラッグして１１１までスライドさせることで選択することができる。また、現在選択されているカメラ画像１０８は太枠等で視覚的に識別して表示される。また、１０７のサムネイル表示部分の左右の端には矢印状の画面送りボタン１０９が表示され、これをタップすることで、矢印の方向にサムネイル画像が１枚分スライドして、表示分より多く画像がある場合には表示されていない次の画像がスライドインして表示される。また、画面送りボタン１０９をホールドすることで、自動でサムネイル画像が矢印方向にスライドし、画面を再度タップすることで解除され画面送りが停止する。なお、画面送りは左右にスワイプすることでもその方向に画面送りすることが可能であり、スワイプする強さに応じて画面送りされる量が変化する。また、所望の建物の画像１０８をホールドするとメニューボックスが表示され、そこをタップすることで建物内監視モードの画像主体画面に遷移することとしてもよい。
【００３３】
マップ主体画面が選択されると、図３Ｄの様に、監視対象の例えば建物が建物アイコン１１３としてマップ１１２と共に表示される。監視対象である建物アイコン１１３をタップすると、建物の詳細情報と画像が線等で対応付けられてウインドウ１１４で表示され、閉じるボタンまたはウインドウ外をタップするとウインドウ１１４が閉じる。ウインドウ１１４は閉じるボタンまたは建物アイコン１１３をタップすることで閉じることとし、複数の監視対象のウインドウを同時に表示することも可能である。また、ウインドウ１１４の画像表示部分をダブルタップすることで、画像を拡大表示することも可能である。また、このマップ主体画面で、所望の場所をピンチインすることで、２点間の重心位置を中心にマップを拡大し、ピンチアウトすることで縮小することができる。また、スワイプすることで、マップをスライドさせることもできる。また、建物アイコン１１３をダブルタップすると、後述する建物内監視モードのマップ主体画面に遷移することができる。なお、ダブルタップでなくても、ホールドするとメニューボックスが表示されて、そこをタップすることで建物内監視モードのマップ主体画面に遷移することとしてもよい。
【００３４】
次に、建物内監視モードを選択する場合について説明する。
図２において、建物内監視モードアイコン１０３にタッチし画面下方向にドラッグすると、図４Ａの様に、１１５に画像表示主体画面が半透明で表示される。この画像表示主体画面が半透明で表示されている位置でタッチを離すと、図４Ｃの様に、画像表示主体画面が選択されて表示される。また、建物内監視モードアイコン１０３をさらに画面下方向にドラッグして所定の位置を越えると、図４Ｂの様に、１１６にマップ主体画面が半透明で表示される。このマップ主体画面が半透明で表示されている位置でタッチを離すと、図４Ｄの様にマップ主体画面が選択されて表示される。
【００３５】
画像表示主体画面が選択されると、図４Ｃの様に、画面上部１１７には例えば建物の各フロアを示すマップ画像１１８がフロア順等でサムネイル状に横並びで表示され、画面中部１２０にはサムネイルから選択されたフロアにあるカメラの画像１２１がカメラ名順等でサムネイル状に横並びで表示され、画面下部１２３にはサムネイルから選択されたカメラ画像１２４が大きく表示される。このとき、画面中部１２０に表示するサムネイル画像は、画面上部１１７の所望のマップ画像１１８をタップすることで決定され、１２４に表示する画像は、画面中部１２０のサムネイルの所望の画像１２１をタップするかホールドして１２４までドラッグすることで選択することができる。また、現在選択されているマップ画像１１８およびカメラ画像１２１は太枠等で視覚的に識別して表示され、現在選択されている画像のカメラはマップ画像１１８内のカメラを示すアイコンが視覚的に識別されて表示される。なお、画面送りについては、上述した通りなので省略する。
【００３６】
マップ主体画面が選択されると、図４Ｄの様に、画面左部１２５には選択されている建物のフロア構成を示すフロア構成画像１２６が表示され、画面右上部１２７には各フロアのマップ画像１２８がフロア順等でサムネイル状に横並びで表示され、画面右下部１３０には選択されているフロアの詳細なマップ画像１３１と実際のカメラ設置位置に対応して表示されるカメラアイコン１３２と選択されているカメラの画像１３３が表示される。画面右下部１３０に表示するマップは、画面左部１２５のフロア構成画像１２６の所望のフロアまたは画面右上部１２７の所望のフロア画像１２８をタップするかホールドして画面右下部１３０へドラッグすることで選択することができる。画面右下部１３０の所望のカメラアイコン１３２をタップすると、カメラ画像が線等で対応付けられてウインドウ１３３で表示され、閉じるボタンまたは画像外をタップするとウインドウ１３３が閉じる。ウインドウ１３３は閉じるボタンまたはカメラアイコン１３２をタップすることのみで閉じることとし、複数のカメラ画像ウインドウを同時に表示することも可能である。また、ウインドウ１３３の画像表示部分をダブルタップすることで、画像を拡大表示することも可能である。また、現在選択されているフロアおよびカメラの画像およびアイコンは、太枠等で視覚的に識別して表示される。また、このマップ主体画面のマップ画像１３１で、所望の場所をピンチインすることで、２点間の重心位置を中心にマップを拡大し、ピンチアウトすることで縮小することができる。また、スワイプすることで、マップをスライドさせることもできる。なお、画面送りについては、上述した通りなので省略する。
【００３７】
次に、カメラ指定モードを選択する場合について説明する。
図２において、カメラ指定モードアイコン１０４にタッチし画面下方向にドラッグすると、図５Ａの様に、１３３に画像表示主体画面が半透明で表示される。この画像表示主体画面が半透明で表示されている位置でタッチを離すと、図５Ｃの様に、画像表示主体画面が選択されて表示される。また、カメラ指定監視モードアイコン１０４をさらに画面下方向にドラッグして所定の位置を越えると、図５Ｂの様に、１３４にマップ主体画面が半透明で表示される。このマップ主体画面が半透明で表示されている位置でタッチを離すと、図５Ｄの様にマップ主体画面が選択されて表示される。
【００３８】
画像表示主体画面が選択されると、図５Ｃの様に、画面上部１３５にはカメラの画像がカメラ名順等でサムネイル状に横並びで表示され、画面下部１３９にはサムネイルから選択されたカメラの画像１４０が大きく表示される。このとき、１４０に表示する画像は、画面上部１３５のサムネイルの所望の画像１３６をタップするかホールドして１４０までドラッグすることで選択することができる。画面上部１３５にサムネイル表示される各カメラ画像１３６には左上にカメラの種類や設置場所を示す識別アイコン１３７が表示され、ここをタップまたはホールドすることで直接またはメニューアイコンの表示・選択を介して同種のカメラや設置位置のカメラ画像のみを画面上部１３５にサムネイル表示することができる。また、現在選択されているカメラ画像１３６は太枠等で視覚的に識別して表示される。なお、画面送りについては、上述した通りなので省略する。
【００３９】
マップ主体画面が選択されると、図５Ｄの様に、画面左部１４１には選択されている地域の区分や建物のフロア構成を示す文字列が表示され、画面右部１４２には画面左部１４１に表示されている区分やフロアごとに対応してカメラ画像がカメラ名順等でサムネイル状に横並びで表示される。所望のカメラ画像１４３をタップすると、カメラ画像がウインドウで拡大表示され、閉じるボタンまたは画像外をタップすることでウインドウが閉じる。また、所望のカメラ画像１４３をダブルタップまたはホールドメニュー選択することにより全画面表示することができる。なお、左右の画面送りについては上述した通りだが、画面送りボタン１４５を用いた上下への画面送りは、上述した左右の画面送りでの左右を上下に読み替えればよく、地域区分やフロアをスライドさせることができる。
【００４０】
以上のことから、タッチパネル式の操作端末を用いてジェスチャ操作で各種操作を実行することで、より感覚的に操作し易い画像監視インターフェースを提供することができる。
【００４１】
なお、上述した各モードにおいて、表示される画像は静止画でもよいし動画でもよい。最初は静止画で表示して、タップすることで動画として表示する様にしてもよい。
【００４２】
また、上述した各モードにおいて、侵入者等によりアラームが発報された場合には、検知したカメラの画像が自動的に表示され、建物アイコンやカメラアイコン、フロア画像が視覚的に識別されて表示される。または、アラームが発報されたことを通知し、検知したカメラの画像とアイコンに切り替えるか選択できる様にしてもよい。
【００４３】
また、全画面表示時や１１１，１２４，１４０等の画像が拡大されて表示される領域において、表示されている画像を提供しているカメラがパン・チルト・ズーム機能を備えている場合、ジェスチャによりカメラの旋回やズームアップ/アウトを制御できる様にしてもよい。例えば、表示された画像の上下左右端をタップすることで対応して上下左右方向にカメラをパン・チルトさせたり、ドラッグまたはスワイプ操作によりスライド方向とは逆方向にカメラをパン・チルトさせたり、ピンチイン/アウトによりズームアップ/アウトさせたりすることができる。
【００４４】
また、本発明は上記各実施形態に限定されるものではない。例えば、上記実施形態では、タッチパネルを用いた携帯端末の場合で説明したが、これに限定されるものではなく、この他にも固定されたタッチパネル式の操作端末であってもよい。
【００４５】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００４６】
１：カメラ、２：記録装置、３：操作端末、３０１：通信部、３０２：制御部、３０３：記憶部、３０３Ａ：ジェスチャ情報、３０３Ｂ：プログラム、３０４：タッチパネル、３０４Ａ：タッチセンサ、３０４Ｂ：表示部、３０５：入力部。
【図１】
2013207517.tif 000003
【図２】
2013207517.tif 000004
【図３Ａ】
2013207517.tif 000005
【図３Ｂ】
2013207517.tif 000006
【図３Ｃ】
2013207517.tif 000007
【図３Ｄ】
2013207517.tif 000008
【図４Ａ】
2013207517.tif 000009
【図４Ｂ】
2013207517.tif 000010
【図４Ｃ】
2013207517.tif 000011
【図４Ｄ】
2013207517.tif 000012
【図５Ａ】
2013207517.tif 000013
【図５Ｂ】
2013207517.tif 000014
【図５Ｃ】
2013207517.tif 000015
【図５Ｄ】
2013207517.tif 000016